(57)【特許請求の範囲】
【請求項１】
遊技盤を取り付ける遊技機枠が固定枠と可動枠とを有し、
前記可動枠は前記固定枠に第１のヒンジにより前側横方向に片開き可能に取り付けられるとともに、前後方向に開放された額縁状の可動枠本体と、この可動枠本体から内部に延設された遊技主体収納構造体とを有し、
前記可動枠本体には、パネル枠が第２のヒンジにより前側横方向に片開き可能に取り付けられ、
前記遊技主体収納構造体は、
前側に開放された遊技主体収納室とこの遊技主体収納室の立壁に前後方向に貫通するように形成されて遊技盤の裏機構を逃げる中央開口部とを備え、
前記遊技主体収納室の前記第１及び第２のヒンジとは反対側に位置する前記立壁の表面には、前記遊技主体収納室に収納される遊技盤の取付部に設けられたロック挿入孔に挿入されて遊技盤を固定するためのロック部材が設けられ、
前記ロック部材は前記遊技主体収納構造体から前側に突出する円筒状の台座から前側に突出した操作軸の端部に固定されたロック操作体を有し、
遊技機枠の前記第１及び第２のヒンジが設けられている側とは反対側の裏面の上部には球を収納するためのタンクが取り付けられ、
前記タンクは内部に払出機構を備え、
払出機構から払い出された球を遊技機枠の前面に設けられた皿構造体の球収容部の側に誘導する縦樋が、遊技機枠の前記第１及び第２のヒンジが設けられている側とは反対側の裏面に設けられ、
前記遊技主体収納構造体の前記第１及び第２のヒンジが設けられている側と同じ側であって、遊技盤の裏面に設けられた電極と対応する箇所には、遊技盤に設けられた電気部品と遊技機枠に設けられた電気部品とを接続する複数の枠側コネクタが縦方向に一列に設けられ、
前記電極からは可撓性を有する合成樹脂基板の表面に付設された盤側可撓性配線の箔形状の電線が個別に延設され、
前記枠側コネクタは、多数本の箔形状の電線が可撓性を有する合成樹脂基板に付設された枠側可撓性配線に接続されていることを特徴とするパチンコ機。  
【請求項２】
遊技機枠の前記中央開口部よりも前記第１及び第２のヒンジと反対側の裏面には電源スイッチまたはリセット釦が設けられていることを特徴とする請求項１記載のパチンコ機。
【発明の詳細な説明】
【技術分野】
【０００１】
本発明は、遊技機枠の中央開口部の大形化が容易なパチンコ機に関する。
【背景技術】
【０００２】
パチンコ機は、パチンコ店の島と呼ばれる遊技機設置構造体に取り付けられる遊技機枠に、球の飛び交う遊技領域および入賞部品や演出部品の設けられた遊技盤を、交換可能に取り付ける一方、遊技機枠がタンク、払出機構、発射機構、電源装置、払出制御装置、発射制御装置などの裏機構を備え、遊技盤が主制御装置、図柄制御装置、表示灯制御装置、音制御装置などの裏機構を備えた構造である。そして、遊技機枠の遊技盤収納室に遊技盤を取り付けた場合、遊技盤の裏機構を遊技盤収納室から裏側に突出させるために、遊技機枠の遊技盤収納室を構成する遊技主体収納構造体には中央開口部が形成されている。しかも、遊技機枠を裏側から見た場合、遊技機設置構造体における補給系統の球出口との関係から、タンクは中央開口部より左上部に配置されて遊技主体収納構造体に取り付けられている。払出機構は、配線の関係から、中央開口部より右側に配置されて遊技主体収納構造体に取り付けられている。このようなことから、タンクの球出口と払出機構の球入口とが左右に離れる関係から、下タンクと呼ばれる中継樋でタンクの球出口と払出機構の球入口とをつないでいる。この中継樋は、タンクと中央開口部との間に配置されて遊技主体収納構造体に取り付けられている。このように、払出機構が中央開口部より右側に配置されているため、中央開口部の左右幅が大きくできない。また、中継樋がタンクと中央開口部との間に配置されるため、中央開口部の上下幅が大きくできない。つまり、中央開口部が小形であるので、遊技盤の主制御装置、図柄制御装置、表示灯制御装置、音制御装置などの裏機構の配置が混雑し、多数本の配線が入り乱れているという欠点がある。図７は、上記パチンコ機の裏面を示す。図７において、１１１はパチンコ機の遊技機枠、１１２は中央開口部、１１３は遊技主体収納構造体、１１４はタンク、１１５は払出機構、１１６は発射機構、１１７は電源装置、１１８は払出制御装置、１１９は発射制御装置、１２０は遊技盤を固定するロック機構、１２１は施錠装置、１２２はロック機構、１２３はヒンジ、１２４は払出機構１１５のスプロケットのような払出体、１２５は中継樋、１２６は遊技機枠１１１の可動枠の外形である。
【特許文献１】特開平８−１７３６１５号公報
【発明の開示】
【発明が解決しようとする課題】
【０００３】
発明が解決しようとする問題点は、遊技機枠における中央開口部が小さいという点である。
【課題を解決するための手段】
【０００４】
本発明のパチンコ機は、遊技盤を取り付ける遊技機枠が固定枠と可動枠とを有し、前記可動枠は前記固定枠に第１のヒンジにより前側横方向に片開き可能に取り付けられるとともに、前後方向に開放された額縁状の可動枠本体と、この可動枠本体から内部に延設された遊技主体収納構造体とを有し、前記可動枠本体には、パネル枠が第２のヒンジにより前側横方向に片開き可能に取り付けられ、前記遊技主体収納構造体は、前側に開放された遊技主体収納室とこの遊技主体収納室の立壁に前後方向に貫通するように形成されて遊技盤の裏機構を逃げる中央開口部とを備え、前記遊技主体収納室の前記第１及び第２のヒンジとは反対側に位置する前記立壁の表面には、前記遊技主体収納室に収納される遊技盤の取付部に設けられたロック挿入孔に挿入されて遊技盤を固定するためのロック部材が設けられ、前記ロック部材は前記遊技主体収納構造体から前側に突出する円筒状の台座から前側に突出した操作軸の端部に固定されたロック操作体を有し、遊技機枠の前記中央開口部よりも前記第１及び第２のヒンジと反対側の裏面の上部には球を収納するためのタンクが取り付けられ、前記タンクは内部に払出機構を備え、払出機構から払い出された球を遊技機枠の前面に設けられた皿構造体の球収容部の側に誘導する縦樋が、遊技機枠の前記第１及び第２のヒンジが設けられている側とは反対側の裏面に設けられたことを最も主要な特徴とする。前記遊技主体収納構造体の中央開口部よりも前記第１及び第２のヒンジと同じ側であって、遊技盤の裏面に設けられた電極と対応する箇所には、遊技盤に設けられた電気部品と遊技機枠に設けられた電気部品とを接続する枠側コネクタが縦方向に一列に設けられたことも特徴とする。なお、前記電極からは、可撓性を有する合成樹脂基板の表面に付設された盤側可撓性配線の箔形状の電線が個別に延設されており、前記枠側コネクタは、多数本の箔形状の電線が可撓性を有する合成樹脂基板に付設された枠側可撓性配線に接続されている。また、遊技機枠の前記中央開口部よりも前記第１及び第２のヒンジと反対側の裏面には電源スイッチまたはリセット釦が設けられたことも特徴とする。
【発明の効果】
【０００５】
本発明のパチンコ機は、遊技機枠が固定枠と固定枠に第１のヒンジにより前側横方向に片開き可能に取り付けられた可動枠とを備え、可動枠が、前後方向に開放された額縁状の可動枠本体と、この可動枠本体から内部に延設される、前側に開放された遊技主体収納室と遊技主体収納室の立壁に前後方向に貫通するように形成されて遊技盤の裏機構を逃げる中央開口部とを備えており、この遊技機枠を裏側から見た場合、遊技機枠の中央開口部よりも左上部に設けられたタンクが内部に払出機構を備え、払出機構から払い出された球を遊技機枠の前面に配置された皿構造体の球収容部の側に誘導する縦樋が遊技機枠の裏面における中央開口部よりも左側に設けられたので、タンクと払出機構とをつなぐ中継樋が不要となり、中央開口部の上下寸法を大きくすることができるという利点がある。遊技機枠の中央開口部よりもヒンジと同じ側である右側には、遊技盤に設けられた電気部品と遊技機枠に設けられた電気部品とを接続する枠側コネクタが縦方向に一列に設けられれば、枠側コネクタの横幅が払出機構よりも小さいので、中央開口部の左右寸法を大きくすることができるという利点がある。遊技機枠の裏面にはヒンジと反対側の右側に電源スイッチまたはリセット釦が設けられれば、遊技機枠を前側に少し開くだけで、パチンコ店の店員が電源スイッチまたはリセット釦を簡単に操作することができるという利点がある。
【発明を実施するための最良の形態】
【０００６】
図１−図６は、一実施形態である。図１は、パチンコ機における遊技機枠１の裏面を示す。図２は、遊技機枠１の平面を示す。図３は、電源装置５１と発射払出制御装置５６と枠側可撓性配線９２との接続を模式的に示す。図４は、遊技機枠１と遊技盤３５とを分解して示す。図５は、パチンコ機の電気系統を示す。図６は、遊技機枠１に遊技盤３５を取り付けたパチンコ機の裏面を示す。
【０００７】
図４を参照し、パチンコ機の遊技機枠１の前機構および遊技盤３５の裏機構について説明する。遊技機枠１は、固定枠２を備える。固定枠２は、パチンコ店の図外の遊技機設置構造体に取り付けるための外枠と呼ばれるものであって、前後方向に開放された縦長な長方形の空間を囲む額縁形状である。固定枠２には、前枠または中枠と呼ばれる可動枠３が、左側のヒンジ４で前側横方向に片開き可能にかつ着脱可能（交換可能）に取り付けられる。可動枠３は、前後方向に開放された縦長な長方形の空間を囲む額縁形状の可動枠本体５と、可動枠本体５から内部に延設された遊技主体収納構造体６とを備える。可動枠本体５には、パネル枠７および球皿構造体８が左側に設けられるヒンジ９で前側横方向に片開き可能に取り付けられる。パネル枠７は、前後方向に開放された窓１０を囲む額縁形状である。パネル枠７の裏面には、ガラスまたは合成樹脂からなる光透過性を有する前面パネル１１が、窓１０を覆う格好で取り付けられる。
【０００８】
可動枠本体５の右縦片には施錠装置１２と複数のロック機構１３；１３ａ；１４およびロック解除操作体１５が設けられる。可動枠３やパネル枠７および球皿構造体８が閉じられてロック機構１３；１３ａ；１４で開閉不能に支持された状態において、遊技店の店員が図外のキープレート（鍵）を遊技機枠１の前側から施錠装置１２の鍵穴１６に挿入し、当該キープレートを例えば右側に９０度回転操作すると、固定枠２と可動枠３とのロック機構１３ａによる支持形態が解除される。この支持形態の解除後に、店員が可動枠３を前側に引くことによって、可動枠３はヒンジ４を回転中心として前側に片開きされる。また、上記施錠装置１２の鍵穴１６に挿入されたキープレートが例えば左側に９０度回転操作されると、可動枠３とパネル枠７とのロック機構１３による支持形態が解除される。この支持形態の解除後に、店員がパネル枠７を前側に引くことによって、パネル枠７はヒンジ９を回転中心として前側に片開きされる。このように、パネル枠７が前側に開かれた状態において、店員が可動枠３の前面に設けられたロック解除操作体１５を操作すると、可動枠３と球皿構造体８とのロック機構１４による支持形態が解除される。この支持形態の解除後に、店員が球皿構造体８を前側に引くことによって、球皿構造体８はヒンジ９を回転中心として前側に片開きされる。球皿構造体８の前面には、球収納部１７および発射操作機構１８を備える。球収納部１７は、遊技に使用する球を受ける上方に開放された形態である。球皿構造体８の裏面には、前横樋３１から球を球収納部１７に供給する球取入口１９と、球収納部１７から発射機構２８に球を供給する球供給口２０とを備える。
【０００９】
遊技主体収納構造体６は、前側に開放された遊技主体収納室２１と、遊技主体収納室２１の立壁に前後方向に貫通する中央開口部２２とを備える。遊技主体収納室２１の左側部には、遊技盤３５を取り付ける枠側ヒンジ２３および枠側コネクタ２４を備える。枠側ヒンジ２３は、遊技主体収納室２１の左側部に固定的に取りけられたヒンジ躯体の前側に折り曲げられた支持部から上方に突出したヒンジピンを備えた構造である。遊技主体収納室２１の右側部には、遊技主体ロック部材２５を備える。遊技主体ロック部材２５は、遊技主体収納構造体６から前側に突出する円筒状の台座の中心にロック操作体２６を回転可能に備える。ロック操作体２６は、台座から前側に突出した操作軸の端部に固定された横長な形態である。遊技主体収納構造体６における遊技主体収納室２１よりも下部における前面には、遊技主体棚２７を備える。遊技主体棚２７から下方に延設された遊技主体収納構造体６における前壁の前面には、発射機構２８、発射レール２９、ファール球取入口部３０、前横樋３１を備える。発射レール２９は、球皿構造体８の球供給口２０から供給された１個の球を受け取る。発射機構２８は、電力供給と遮断とを交互に受けることによって、球収納部１７から発射レール２９に供給された１個の球を遊技盤３５の遊技領域に向けて発射する。発射レール２９は、発射機構２８から発射された球を、遊技盤３５における発射通路の入口に誘導する。ファール球取入口部３０は、遊技盤３５の発射通路から落下する球を取り込む。ファール球取入口部３０に取り込まれた球は、前横樋３１を経由して球取入口１９に排出される。前横樋３１は、可動枠３の裏部に取り付けられた図１に示す払出機構７６から払い出された球を球取入口１９に排出する。枠側コネクタ２４は、導電材かなるコネクタピンが合成樹脂のような電気絶縁材かなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤３５の電極４２から押されるのに伴い、弾性体が圧縮し、コネクタピンと電極４２とが互いに押し合って接触する。
【００１０】
パチンコ機の遊技盤３５は、裏面に、セット板と呼ばれる部品取付構造体３６を備える。部品取付構造体３６は、遊技盤３５の前面のガイドレールで囲まれた内側の遊技領域に設けられた入賞部品に取り込まれた後に当該入賞部品から遊技盤３５の裏側に排出された球を、下方に誘導して排出する。遊技盤３５の裏側には、遊技盤３５の前面に設けられた遊技部品の裏機構が、遊技盤３５に形成された図外の逃孔や部品取付構造体３６に形成された逃孔３７を経由して突出する。遊技盤３５の裏側に突出した裏機構を有する遊技部品は、複数の図柄表示器３８；３９、可動部品４０、図外の複数の入賞部品、図外のサイドランプなどである。図柄表示器３８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５５を備える。図柄表示器３９は、遊技領域の右側下部に設けられ、複数の図柄の印刷された図柄表示体をステップモータで回転する構造であって、裏機構としてステップモータを備える。部品取付構造体３６の裏面には、盤側可撓性配線４１と盤側ヒンジ４４と主制御装置５３および複合制御装置５４が設けられる。
【００１１】
盤側可撓性配線４１は、遊技盤３５に設けられた電気部品と遊技機枠１に設けられた電気部品とを接続する多数本の箔形状の電線および箔形状の電極４２が、可撓性を有する合成樹脂基板の表面に付設された構造である。電極４２は、枠側コネクタ２４のコネクタピンと対応する個数のラウンドと呼ばれるものであって、各電極４２からは上記箔形状の電線が個別に延設される。電線の表面は、レジスト膜のような電気絶縁材で被覆され、人の接触から保護される。盤側可撓性配線４１は、縦片部の上下部から左側に延設した上下横片部とからなる形状である。盤側可撓性配線４１の縦片部は、部品取付構造体３６における逃孔３７より右部分の裏面と対応する部分であって、当該縦片部の右端部には、電極４２が互いに離れた形態で配置され、当該縦片部から左側に延長した延設部には、図柄制御装置５５が接続される。盤側可撓性配線４１の上横片部は、部品取付構造体３６における逃孔３７より上部分の裏面と対応する部分であって、当該上横片部には、主制御装置５３が接続される。当該上横片部から下方に延長した延設部には、可動部品４０の駆動源が接続される。盤側可撓性配線４１の下横片部は、部品取付構造体３６における逃孔３７より上部分の裏面と対応する部分であって、当該下横片部の右下部には、複合制御装置５４が接続され、当該下横片部の左端部には、図柄表示器３９の駆動源が接続され、当該下横片部から下方に延長した延設部には、可変入賞部品の駆動源が接続される。主制御装置５３は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の上下方向となる格好で、遊技盤３５の裏面に対して取り付けられる。複合制御装置５４は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の左右方向となる格好で、遊技盤３５の裏面に対して取り付けられる。
【００１２】
盤側ヒンジ４４は、遊技盤３５に固定的に取りけられたヒンジ躯体の前側に折り曲げられた支持部に上下方向に貫通したヒンジ孔を備えた構造である。遊技盤３５の盤側ヒンジ４４と反対側の側部には、取付部４５を備える。取付部４５にはロック挿入孔４６を備える。そして、遊技盤３５の前面が前側に向けられ、遊技盤３５の盤側ヒンジ４４の設けられた片側が遊技機枠１の前側から遊技主体収納室２１に挿入され、盤側ヒンジ４４のヒンジ孔が枠側ヒンジ２３のヒンジピンに上方から挿入されると、遊技盤３５が遊技機枠１に盤側ヒンジ４４と枠側ヒンジ２３とを回転中心として回転可能に取り付けられる。その後、遊技盤３５が遊技機枠１の方に押されると、遊技主体ロック部材２５のロック操作体２６が遊技盤３５の取付部４５のロック挿入孔４６に後側から挿入されて前側に突出する。その状態において、作業者がロック操作体２６を例えば右方向に９０度回転操作すると、ロック操作体２６がロック挿入孔４６の周りにおける取付部４５と係合し、遊技盤３５が遊技主体収納室２１に取り付けられる。遊技盤３５が取り付けられた後、パネル枠７が閉じられる。これによって、パチンコ機が構成される。このパチンコ機は、遊技盤３５が遊技機枠１の内部に格納され、遊技盤３５の前側がパネル枠７で覆われ、遊技盤３５の遊技領域が遊技機枠１の前側から前面パネル１１を通して視認し得る形態である。
【００１３】
図１を参照し、遊技機枠１の裏機構について説明する。この場合、左右は、図２の場合と逆となる。つまり、ここでの説明では、図２を用いた説明の左を右と称し、図２を用いた説明の右を左と称する。タンク７５は、遊技機設置構造体における補給系統の球出口から排出された球を受けるものであって、中央開口部２２より左上部に配置され、遊技主体収納構造体６の裏面に取り付けられる。タンク７５は、上方に開放した箱形である。タンク７５の内部には、払出機構７６が設けられる。払出機構７６は、払出駆動源６６たるステップモータと払出体７７および払出球検出部７８を備える。ステップモータのモータケースが、タンク７５の左側壁の外側面に取り付けられる。図２にも示すように、タンク７５の底部には、取込部７９が、左側で前後方向中央部に設けられる。取込部７９は、左右に横長であって、タンク７５の底部から下方に窪む形態である。払出体７７は、丸棒の外周面に螺旋体８０を備える。螺旋体８０は、払出体７７の丸棒の軸心方向に１個の球の直径と略等しい間隔で、当該丸棒の外周面から径方向外側に螺旋形状に突出する。払出体７７の丸棒の軸心が左右方向に向けられた格好で、螺旋体８０が取込部７９に回転可能に収納される一方、払出体７７における螺旋体８０の不在な丸棒の両端部が取込部７９を囲む左右側壁を取込部７９の内外に回転可能に貫通する。そして、払出体７７における取込部７９の左側壁の外側に突出した丸棒の端部が、ステップモータのモータ軸のような出力軸に結合される。この結合よって、ステップモータの出力軸が回転すると、払出体７７も一緒に回転する。タンク７５における取込部７９の底部には、球出口８１が、螺旋体８０における左側の１つ隙間の真下に位置して形成される。タンク７５の底部は、球が周囲から取込部７９に向けて流れる斜面を形成する。
【００１４】
したがって、タンク７５に入った球は、タンク７５の取込部７９に流れ込み、払出体７７の回転によって螺旋体８０における隙間に分離されて取り込まれて螺旋体８０で取込部７９の内部を右側から左側に移動し、球出口８１から下方に落下してタンク７５から排出される。このタンク７５から排出された球は、球出口８１の下部に連接された払出機構７６の払出球検出部７８に取り込まれる。払出球検出部７８には、払出球検出器６３を備える。払出球検出器６３は、タンク７５から払出球検出部７８に排出された球を検出するごとに払出球検出信号を主制御装置５３および発射払出制御装置５６に出力する。払出球検出器６３を通過した球は、払出球検出部７８の下部に連接された縦樋８２に取り込まれる。縦樋８２は、中央開口部２２よりも左側に配置され、遊技主体収納構造体６の裏面に取り付けられる。縦樋８２の内部には、球通路が、上部から下部に行くにしたがって、前後方向に蛇行する形態に形成される。縦樋８２の下端は、前横樋３１の左上部に連なる。よって、縦樋８２に取り込まれた球は、縦樋８２の内部における球通路を蛇行しながら流下して前横樋３１に排出される。
【００１５】
縦樋８２の左側には、球抜通路構成体８３が併設される。球抜通路構成体８３および縦樋８２は上部で互いに連接される。この連接部には、通路切換機構８４が設けられる。通路切換機構８４は、縦樋８２の裏面に取り付けられた通路切換駆動源としての電磁ソレノイド８５と、電磁ソレノイド８５のプランジャに連結されて縦樋８２の球通路に配置された通路切換弁８６とを備える。例えば、電磁ソレノイド８５が電力供給されていない場合、通路切換弁８６は、払出球検出部７８から縦樋８２に球を流すように、払出球検出部７８と球抜通路構成体８３との球通路を遮断する。そして、電磁ソレノイド８５が電力供給されている場合、通路切換弁８６は、払出球検出部７８から球抜通路構成体８３に球を流すように、払出球検出部７８と縦樋８２との球通路を遮断する。球抜通路構成体８３の下端は、前横樋３１の収納部裏面に球通路カバーにより形成された球抜通路８７に連接される。球抜通路８７の下端は、前横樋３１の収納部裏面から下方に突出する。縦樋８２における通路切換機構８４よりも下部の中間部には、満タン検出器６５が設けられる。
【００１６】
遊技主体収納構造体６における遊技主体棚２７より下方に延設された前壁の裏面には、電源装置５１と発射払出制御装置５６とが取り付けられる。電源装置５１は、中央開口部２２よりも左下部に配置される。発射払出制御装置５６は、中央開口部２２よりも右下部に配置される。枠側コネクタ２４よりも上部における遊技主体収納構造体６の裏面には、外部情報端子基板８８、第１払出中継端子基板８９、電源端子基板９０が、下から上に順に配置された形態で、取り付けられる。発射払出制御装置５６よりも右側における遊技主体収納構造体６の裏面には、球皿中継基板９１が取り付けられる。電源装置５１、発射払出制御装置５６、枠側コネクタ２４、第１払出中継端子基板８９、電源端子基板９０、外部情報端子基板８８および球皿中継基板９１のそれぞれは、枠側可撓性配線９２で、互いに接続される。枠側可撓性配線９２は、遊技盤３５に設けられた電気部品と遊技機枠１に設けられた電気部品とを接続する多数本の箔形状の電線が、可撓性を有する合成樹脂基板に付設された構造である。
【００１７】
枠側可撓性配線９２は、縦片部の下部から左側に延設した横片部とからなる形状である。枠側可撓性配線９２の縦片部は、遊技主体収納構造体６における中央開口部２２より右側部分の裏面と対応する部分であって、当該縦片部には、枠側コネクタ２４、外部情報端子基板８８、第１払出中継端子基板８９および電源端子基板９０が上下方向に一列に配置されて接続される。枠側可撓性配線９２の横片部は、遊技主体収納構造体６における中央開口部２２より下側部分の裏面と対応する部分であって、当該横片部の右下部には、球皿中継基板９１が接続され、当該横片部の左端部には、電源用コネクタ９９と発射払出制御用コネクタ１００とが接続される。第１払出中継端子基板８９には、第２払出中継端子基板９３が、ハーネス９４で接続される。第２払出中継端子基板９３は、払出球検出器６３からの配線や通路切換駆動源としての電磁ソレノイド８５からの配線を接続するものであって、図２にも示すように、タンク７５における球貯留部外の空間に配置され、タンク７５に取り付けられる。第２払出中継端子基板９３は、複数のコネクタ９３ａが実装された形態である。コネクタ９３ａには、ハーネス９４からの配線や払出球検出器６３からの配線や電磁ソレノイド８５からの配線などが個別に接続される。電源端子基板９０には、パチンコ機のプラグ９５を有する電源配線９６が接続される。外部情報端子基板８８は、ホールコンピュータ６０と接続される。球皿中継基板９１は球皿構造体８からの配線が接続される。電源装置５１の裏面左下部には、電源スイッチ９７およびリセット釦９８が設けられる。
【００１８】
図３を参照し、電源装置５１と発射払出制御装置５６および枠側可撓性配線９２のそれぞれの接続構造について説明する。発射払出制御装置ベース１０６が、遊技主体収納構造体６の裏面に沿って敷設された枠側可撓性配線９２を跨ぐ格好で、遊技主体収納構造体６の裏面に取り付けられることで、発射払出制御装置５６が遊技主体収納構造体６の裏面に固定される。遊技主体収納構造体６と発射払出制御装置ベース１０６との間から露出した枠側可撓性配線９２の端部には、電源用コネクタ９９と発射払出制御用コネクタ１００とが別々に結線される。枠側可撓性配線９２における電源用コネクタ９９と発射払出制御用コネクタ１００との間の部分が折り曲げられることによって、電源用コネクタ９９が電源装置５１の側に向けられ、発射払出制御用コネクタ１００が発射払出制御装置５６の側に向けられる。そして、電源用コネクタ９９が電源装置５１に設けられた電源コネクタ１０１に接続され、発射払出制御用コネクタ１００が発射払出制御装置５６に設けられた発射払出制御コネクタ１０２に接続される。例えば、電源装置５１が遊技主体収納構造体６の裏面に取り付けられた電源装置ベース１０５の上を左から右に移動可能に取り付けられていれば、作業者が電源装置５１を矢印Ｘ１方向で示す左から右に移動することで、電源用コネクタ９９と電源コネクタ１０１との接続が行える。また、発射払出制御装置５６が遊技主体収納構造体６の裏面に取り付けられた発射払出制御装置ベース１０６の上を右から左に移動可能に取り付けられていれば、作業者が発射払出制御装置５６を矢印Ｘ２で示す右から左に移動することで、発射払出制御用コネクタ１００と発射払出制御コネクタ１０２との接続が行える。電源装置ベース１０５は端部に裏側に突出する突部１０７を有する。突部１０７は、電源用コネクタ９９と電源コネクタ１０１とが互いに接続される場合の力を負担する。発射払出制御装置ベース１０６は端部に裏側に突部１０８を有する。突部１０８は、発射払出制御用コネクタ１００と発射払出制御コネクタ１０２とが互いに接続される場合の力を負担する。発射払出制御装置ベース１０６には、可撓性配線９２を通す配線孔１０９が設けられる。
【００１９】
図５を参照し、パチンコ機の電気系統について説明する。主制御装置５３と複合制御装置５４と図柄制御装置５５および発射払出制御装置５６のそれぞれに格納されたマイクロコンピュータが電力供給を受けて起動し、図柄制御装置５５が画像制御信号を図柄表示器３８に出力し、図柄表示器３８が図柄制御信号に対応する画像を表示する。主制御装置５３には、入力機器と出力機器とが配線で接続される。主制御装置５３の入力機器は、入賞球検出器５８および払出球検出器６３である。入賞球検出器５８には、例えば、一般入賞球検出器、作動入賞球検出器、始動入賞球検出器、普通入賞球検出器、特別入賞球検出器などがある。払出球関係検出器には、払出球検出器６３、球切れ検出器６４、満タン検出器６５などがある。主制御装置５３の出力機器は、入賞部品駆動源５９と遊技店の管理を行うホールコンピュータ６０である。入賞部品駆動源５９には、入賞部品における電動チューリップの駆動源、入賞部品における可変入賞部品の駆動源などがある。複合制御装置５４は、主制御装置５３と配線で接続される。複合制御装置５４には、表示灯６１やスピーカ６２および演出部品駆動源５７などの出力機器が配線で接続される。演出部品駆動源５７には、図４に示す可動部品４０の駆動源、図４に示す図柄表示器３９のステップモータなどがある。
【００２０】
表示灯６１は、遊技機枠１の前部または遊技盤３５の前部に設けられ、点灯、点滅、消灯で遊技演出を行う部品である。スピーカ６２は遊技機枠１に設けられて音で遊技演出を行う部品である。発射払出制御装置５６は、主制御装置５３と配線で接続される。発射払出制御装置５６には、入力機器と出力機器とが配線で接続される。発射払出制御装置５６の入力機器は、払出機構の払い出される球を検出する払出球検出器６３、払出機構のタンクの側に球切れの発生があることを検出する球切れ検出器６４、発射操作機構１８の球の発射を停止するための発射停止検出器６７と発射操作機構１８への遊技者による操作量を可変抵抗値として出力する可変抵抗器６８および発射操作機構１８への遊技者の接触を検出する接触検出器６９である。発射払出制御装置５６の出力機器は、払出機構の球を払い出す動作を行ったり停止したりする払出駆動源６６、発射機構２８の発射駆動源７０である。この場合、主制御装置５３、複合制御装置５４、図柄制御装置５５、入賞球検出器５８、図柄表示器３９、遊技盤３５に設けられた表示灯６１、遊技盤３５に設けられたスピーカ６１それぞれを接続する配線が図４に示す盤側可撓性配線４１に付設された箔形状の配線で構成される。図５における結合子Ｄは互いに接続される。
【００２１】
実施形態によれば、図１に示すように、遊技機枠１を裏側から見た場合、遊技機枠１の中央開口部２２よりも左上部（ヒンジ４と反対側）に設けられたタンク７５が、内部に払出機構７６を備え、払出機構７６から払い出された球を遊技機枠１の前面に配置された図４に示す球皿構造体８の球収容部１７の側に誘導する縦樋８２が、タンク７５の真下に相当する遊技機枠１の中央開口部２２よりも左側に設けられている。よって、タンク７５と払出機構７６とをつなぐ図７に示す中継樋１２５が不要となり、遊技機枠１に取り付けられる図４に示す遊技盤３５の裏機構を逃げるための中央開口部２２の上下寸法を大きくすることができるという利点がある。つまり、図１における中央開口部２２の上下寸法をＨ１とし、図７における中央開口部１１２の上下寸法をＨ２とすると、Ｈ１＞Ｈ２である。このことから、図６に示すように、遊技盤３５を遊技機枠１に取り付けた場合、遊技盤３５の発射通路から遊技領域に球が飛び出す出口の周りの裏面が中央開口部２２に露出される。そして、この中央開口部２２に露出される遊技盤３５の裏面と対応する発射通路から遊技領域に球が飛び出す出口の周りにには、入賞部品や可動部品あるいは飾りなどのような裏機構の必要な遊技部品が設けられることはない。よって、この中央開口部２２に露出される遊技盤３５の裏面が主制御装置５３または複合制御装置５４などの遊技盤３５の裏面に取り付ける面として利用することがでるという利点がある。
【００２２】
図１に示すように、遊技機枠１を裏側から見た場合、遊技機枠１の中央開口部２２よりも右側には、遊技盤３５に設けられた電気部品と遊技機枠１に設けられた電気部品とを接続する枠側コネクタ２４が縦方向に一列に設けられているので、枠側コネクタ２４を設ける横幅が、図７に示す払出機構１１５を設ける横幅より小さくなる。よって、中央開口部２２の左右寸法を大きくすることができるという利点がある。つまり、図１における中央開口部２２の上下寸法をＤ１とし、図７における中央開口部１１２の上下寸法をＤ２とすると、Ｄ１＞Ｄ２である。このことから、図６に示すように、遊技盤３５を遊技機枠１に取り付けた場合、遊技盤３５の発射通路の周りの裏面が中央開口部２２に露出される。そして、この中央開口部２２に露出される遊技盤３５の裏面と対応する発射通路の周りには、入賞部品や可動部品あるいは飾りなどのような裏機構の必要な遊技部品が設けられることはない。よって、この中央開口部２２に露出される遊技盤３５の裏面が主制御装置５３または複合制御装置５４などの遊技盤３５の裏面に取り付ける面として利用することがでるという利点がある
【００２３】
したがって、実施形態では、図６に示すように、主制御装置５３が央開口部２２に露出される遊技盤３５の裏面に設けられ、主制御装置５３の真下に複合制御装置５４が設けられ、主制御装置５３と複合制御装置５４および図柄制御装置５５それぞれを互いに接続する配線が、遊技盤３５における図柄制御装置５５よりも右側の裏面に設けられている。よって、遊技盤３５の裏機構の配置が簡素化できるという利点がある。また、上記主制御装置５３と複合制御装置５４および図柄制御装置５５それぞれを互いに接続する配線が、盤側可撓性配線４１で形成されているので、個々ばらばらの多数本の配線が入り乱れていることなく、一層、整然とした配置となるという利点がある。
【００２４】
実施形態によれば、主制御装置５３は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の上下方向となる格好で、遊技盤３５の裏面に対して取り付けられる。よって、主制御装置５３が、遊技機枠１における中央開口部２２から露出された遊技盤３５の発射通路からから遊技領域に球が飛び出す出口の周りの裏面の右上部を活用して設けることができるという利点がある。複合制御装置５４は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の左右方向となる格好で、遊技盤３５の裏面に対して取り付けられる。よって、複合制御装置５４が、遊技機枠１における中央開口部２２から露出された遊技盤３５の発射通路の周りの裏面の右下部を活用して設けることができるという利点がある。可動枠５の裏面のヒンジ４と反対側の右側に設けた電源装置５１の裏面左下部には、電源スイッチ９７およびリセット釦９８が設けられているので、電源スイッチ９７およびリセット釦９８を操作する場合、可動枠３を前側に少し開くだけで、パチンコ店の店員が電源スイッチ９７およびリセット釦９８を操作することができるという利点がある。
【００２５】
図６において、符号１０３は遊技盤３５の前面に取り付けられた外バンド、１０４は遊技盤３５の前面に取り付けられた内バンドである。そして、遊技盤３５の前面における、外バンド１０３と内バンド１０４との間の隙間として発射通路、発射通路を除く外バンド１０３と内バンド１０４とで囲まれた内側が遊技領域である。
【産業上の利用可能性】
【００２６】
遊技機枠１と遊技盤３５とが枠側ヒンジ２３と盤側ヒンジ４４とからなるヒンジで回転可能に取り付けられていない構造であってもよい。枠側コネクタ２４が遊技盤３５に設置され、電極４２が遊技機枠１に設置された構造であってもよい。発射払出制御装置５６は、１つの制御装置筐体の内部に、発射制御に必要な電気部品の実装された回路基板と、払出制御に必要な電気部品の実装された回路基板とが互いに分離された形態で装着されて構造であっても、発射制御に必要な電気部品の実装された回路基板を１つの制御装置筐体の内部に装着し、払出制御に必要な電気部品の実装された回路基板を別の１つの制御装置筐体の内部に装着した構造であってもよい。この別々の制御装置筐体とした場合、発射制御に必要な電気部品の実装された回路基板を有する制御装置筐体の方は、発射制御装置となり、払出制御に必要な電気部品の実装された回路基板を有する制御装置筐体の方は、払出制御装置となる。主制御装置５３に置換して複合制御装置５４またはそれ以外の遊技盤３５の裏面に設ける部品を取り付けてもよい。可動枠本体５と遊技主体収納構造体６とが別々の材料から構成されたものを結合するか、または、可動枠本体５と遊技主体収納構造体６とが合成樹脂により単一構造体として形成してもよい。また、前述の説明で、遊技主体収納構造体６に取り付けたものは、可動枠３に取り付けたものと認識できることは明らかであろう。
【図面の簡単な説明】
【００２７】
【図１】遊技機枠を示す裏面図（一実施形態）。
【図２】遊技機枠を示す平面図（同実施形態）。
【図３】電源装置と発射払出制御装置と枠側可撓性配線との接続を示す模式図（同実施形態）。
【図４】遊技機枠と遊技盤とを示す分解斜視図（同実施形態）。
【図５】パチンコ機の電気系統を示すブロック図（同実施形態）。
【図６】パチンコ機を示す裏面図（同実施形態）。
【図７】遊技機枠を示す裏面図（従来）。
【符号の説明】
【００２８】
１  遊技機枠
６  遊技主体収納構造体
２３  枠側ヒンジ
２２  中央開口部
２４  枠側コネクタ
３５  遊技盤
４１  盤側可撓性配線
４２  電極
５１  電源装置
５３  主制御装置
５４  複合制御装置
５６  発射払出制御装置
７５  タンク
７６  払出機構
９２  枠側可撓性配線
【図１】
0004668532.tif 000002
【図２】
0004668532.tif 000003
【図３】
0004668532.tif 000004
【図４】
0004668532.tif 000005
【図５】
0004668532.tif 000006
【図６】
0004668532.tif 000007
【図７】
0004668532.tif 000008